(57)【要約】  【課題】カラオケ利用者が携帯用アルコール濃度測定器をいつも携帯する必要なく、利用者の飲酒量（呼気中のアルコール濃度）を、利用者に負荷を与えることなく効率的に検知して測定でき、その測定データを好適に利用者に知らしめ、利用者が自分に合った飲量に調整できるようにする手段の提供。  【解決手段】利用者が所望するカラオケ楽曲の検索機能や予約登録機能を有するカラオケリモコン装置において、アルコール濃度測定手段を付帯させると共に、その測定したアルコール濃度の測定データを付帯した表示手段に表示させた。【選択図】図２
2005242063.tif 000002
【特許請求の範囲】
【請求項１】
利用者が所望するカラオケ楽曲の検索機能や予約登録機能を有するカラオケリモコン装置において、
（ア）人体から発生する呼気に含まれるアルコール成分を検知するための半導体ガスセンサと、当該半導体ガスセンサの検知によるアルコール濃度の測定を制御するための測定制御手段などからなるアルコール濃度測定手段と、
（イ）当該アルコール濃度の測定データを付帯の表示手段に表示するための制御を行う測定データ表示制御手段と、
を有することを特徴とするカラオケリモコン装置。
【請求項２】
前記測定データの表示が、そのアルコール濃度の高低に対応して変化する、メッセージ表示、画像表示ないしアニメーション表示であることを特徴とする請求項１記載のカラオケリモコン装置。
【発明の詳細な説明】
【技術分野】
【０００１】
本発明は利用者が所望するカラオケ楽曲の予約登録機能を有するカラオケリモコン装置に関し、さらに詳しくは、アルコール濃度測定機能付きカラオケリモコン装置に関する。
【背景技術】
【０００２】
一般的に、カラオケ利用者は、しらふで歌唱する人も大勢いるが、飲酒しながら歌唱したり、カラオケを二次会で行く場合は飲酒後に歌唱する人がかなり多い。アルコール飲料を過度に飲むと、自らの健康に悪いのは勿論、飲んでいない人に対しては口臭を気にさせたり、さらには、他人に絡んで迷惑をかけたりすることにもなる。また、当然のことながら、車の運転も禁じられる。しかし、飲酒しているカラオケ利用者はカラオケに夢中になっているため、自らの飲酒量がよく分からず、飲量を調整することはできない。飲酒量が分かれば、過度な飲み過ぎを防ぐために飲酒を制限したり、逆に「飲みが足りない」ということも判断でき、自分に合った飲量に調整することができる。
【０００３】
ところで、現在、携帯用のアルコール濃度測定器が販売されている。そのサイズは携帯電話より小さくて消費電力も少なく、また、操作も簡単で、軽く息を吹きかけるだけで測定ができ、測定速度も１０秒以内のものが販売されている。このような高性能でダウンサイジングが可能となった技術背景には、改良が進んだ半導体ガスセンサの利用によるところが大きい。半導体ガスセンサを用いた人体発生ガス濃度測定器に関わる出願もあり、例えば、特許文献１では、人体から発生する呼気に含まれる口臭の有無並びに呼気中に含まれている悪臭物質の濃度を、半導体ガスセンサを用いて測定できる臭気測定器に関する技術が開示されている。また、特許文献２では、この半導体ガスセンサを利用し、酒帯度を測定するために、呼気中のアルコール濃度検知センサを内蔵したアルコール濃度測定器に関する技術が開示されている。
【特許文献１】特開昭６４−３５３６８号公報
【特許文献２】実公平０７−３３１６２号公報
【発明の開示】
【発明が解決しようとする課題】
【０００４】
しかしながら、このように高性能で小型化されたアルコール濃度測定器であっても、普段は必要とせず、飲酒する場合に必要となるのであるが、飲酒は必ずしも予定されているとは限らないため、飲酒時にあればよいのにも拘わらず、いつも携帯しなければならないという不都合がある。そして、上述した如く、カラオケ利用者は飲酒している場合がかなり多く、自らの飲酒量がよく分かるのが好ましいのであるが、カラオケに行く度にわざわざ携帯用アルコール濃度測定器を携帯するのは不便であり、また、カラオケに行く場合も必ずしも予定されているとは限らないため、結局、カラオケ利用者もいつもアルコール濃度測定器を携帯しなければならないという不都合がある。
【０００５】
そこで、本発明は、上記不都合を解消するために想到されたもので、すなわち、カラオケ利用者が携帯用アルコール濃度測定器をいつも携帯する必要なく、利用者の飲酒量（呼気中のアルコール濃度）を、利用者に負荷を与えることなく効率的に検知して測定でき、その測定データを好適に利用者に知らしめ、利用者が自分に合った飲量に調整できるようにする手段の提供を課題とする。
【課題を解決するための手段】
【０００６】
上記課題を鑑み、本発明者らは、利用者が所望するカラオケ楽曲の検索機能や予約登録機能を有するカラオケリモコン装置において、アルコール濃度測定手段を付帯させると共に、その測定したアルコール濃度の測定データを付帯した表示手段に表示させることにより、上記課題を解決できることを見出し、本発明のアルコール濃度測定機能付きカラオケリモコン装置を想到した。
【０００７】
すなわち、本発明の請求項１記載のカラオケリモコン装置は、利用者が所望するカラオケ楽曲の検索機能や予約登録機能を有するカラオケリモコン装置において、
（ア）人体から発生する呼気に含まれるアルコール成分を検知するための半導体ガスセンサと、当該半導体ガスセンサの検知によるアルコール濃度の測定を制御するための測定制御手段などからなるアルコール濃度測定手段と、
（イ）当該アルコール濃度の測定データを付帯の表示手段に表示するための制御を行う測定データ表示制御手段と、
を有することを特徴とする。
【０００８】
また、本発明の請求項２記載のカラオケリモコン装置は、請求項１記載のカラオケリモコン装置において、前記測定データの表示が、そのアルコール濃度の高低に対応して変化する、メッセージ表示、画像表示ないしアニメーション表示であることを特徴とする。
【発明の効果】
【０００９】
本発明の請求項１記載のカラオケリモコン装置によれば、カラオケリモコン装置にアルコール検知機能を付帯させたため、カラオケ利用者は携帯用アルコール濃度測定器をいつも携帯する必要なく、利用者はカラオケを楽しんでいる最中に、効率的に飲酒量（呼気中のアルコール濃度）を検知して測定できるといった効果を奏する。
【００１０】
さらに、本発明の請求項２記載のカラオケリモコン装置によれば、請求項１記載のカラオケリモコン装置において、カラオケリモコン装置が付帯する表示手段への測定データの表示を、そのアルコール濃度の高低に対応して変化する、メッセージ表示、画像表示ないしアニメーション表示とすることで、アルコール濃度の数値的表現よりもカラオケの雰囲気に合ったものにすることができ、また、利用者の注意を喚起することもできるなどといった効果を奏する。
【発明を実施するための最良の形態】
【００１１】
以下、本発明のアルコール濃度測定機能付きカラオケリモコン装置について、最適な実施例を挙げ、本発明を詳述する。
【実施例１】
【００１２】
図１は本発明の一実施例におけるカラオケリモコン装置の概略的外観図であり、（イ）は正面斜視図、（ロ）は背面斜視図である。先ず、（イ）に示すように、本実施例におけるカラオケリモコン装置（１）の本体（２）のサイズは両手を軽く開いた状態で持てる程度のもので、その形状は湾曲部を備えた略矩状のものである。そして、表示手段としては液晶ディスプレイ（以下、ＬＣＤと称す：３）が設けられ、このＬＣＤ（３）にはタッチセンサ方式の操作パネル（３ａ）が装着されている。さらに、本体正面の略上端部には、所定のカラオケ演奏装置に楽曲ＩＤコードなどを予約登録するために使用する発光ダイオードからなる赤外線転送部（以下、ＬＥＤと称す：図示省略）が設けられている。
【００１３】
一方、（ロ）に示すように、本体背面の下端部には、カラオケリモコン装置（１）の二次電池に電力供給をするための充電器とデータの同期処理器を兼用した充電ステーション（通称「クレードル」）に装着して接続するための接続端子（５）が設けられ、さらに、本体背面の略中央部には、アルコール濃度測定手段を構成し、利用者が歌唱中に発生する呼気に含まれるアルコール成分を検知するための半導体ガスセンサ（６ａ）と、これに付帯して利用者の呼気を採取するための吹込口（６ａａ）が設けられている。
【００１４】
次に、図２に示す、本発明のカラオケリモコン装置の概略的ブロック構成図に基づき、本発明をさらに詳述する。
【００１５】
本実施例のカラオケリモコン装置（１）は、ＬＣＤ（３）、ＬＥＤ（４）、アルコール濃度測定手段（６）、測定データ表示制御手段（７）、中央制御手段（８）、通信制御手段（９）、フラッシュメモリ（１０）、操作制御手段（１１）などを主な構成要件としている。先ず、アルコール濃度測定手段（６）は、上述の如く、利用者から発生する呼気に含まれるアルコール成分を検知するための半導体ガスセンサ（６ａ）と、当該半導体ガスセンサ（６ａ）の検知によるアルコール濃度の測定を制御するための測定制御手段（６ｂ）などからなり、測定データ表示制御手段（７）は、アルコール濃度の測定データをＬＣＤ（３）に表示するための制御を中央制御手段（８）と連携して行い、アルコール濃度の測定データは、一旦、フラッシュメモリ（１０）の所定領域の測定データ記憶部（１０ａ）に記憶され、カラオケリモコン装置が他の要件で使用されていない状態での適宜なタイミングでＬＣＤ（３）に表示される。
【００１６】
半導体ガスセンサ（６ａ）には感ガス体内に加熱を行う過熱器（図示省略）が埋設されており、測定開始時には、測定準備として半導体ガスセンサ（６ａ）を昇温させるように過熱器の通電を制御してヒートクリーニング処理を行い測定可能な状態とする。利用者から発せられた呼気は図１に示す吹込口（６ａａ）から採取され、半導体ガスセンサ（６ａ）は高温状態下で吹き込まれた呼気により抵抗値が変化し、呼気の吹き込みを検知する。呼気を検知すると、測定制御手段（６ｂ）は、今度は半導体ガスセンサを降温させるように過熱器の通電を制御し、その時点での抵抗値を検知する。そして、先の高温状態下の抵抗値と当該抵抗値の比較と、予め設定した数値に基づき、所定のアルゴリズムにて演算することで、カラオケ利用者の呼気に含まれるアルコール濃度が測定される。
【００１７】
中央制御手段（８）は、操作制御手段（１１）が制御している操作パネル（３ａ）からの入力情報を受け取ると、フラッシュメモリ（１０）に用意されている画像データや、入力情報に応じた処理結果を反映させた画像データをビデオＲＡＭ（図示省略）にビットマップ展開すると共に、ＬＣＤドライバ（図示省略）を制御して、このビットマップ画像をＬＣＤ（３）に表示出力させる。それにより、カラオケリモコン装置は利用者にＧＵＩ環境を提供し、中央制御手段（８）が利用者とＧＵＩによる対話を通じて、楽曲索引データベースの検索結果を表示させたり、測定データ表示制御手段（７）と連携し、適宜なタイミングでアルコール濃度の測定データを表示させている。なお、本実施例では、測定データ表示制御手段（７）と中央制御手段（８）とを別手段として構成しているが、本発明はこれに限定されず、測定データ表示制御手段（７）の機能を中央制御手段（８）に組み込んで一体として構成しても構わない。
【００１８】
なお、中央制御手段（８）は、無線回線ないし有線回線を介して通信を制御する通信制御手段（９）に接続されており、新規のカラオケ楽曲や音声コンテンツなどについての属性情報などを、クレードル（ＣＲ）を介してカラオケ演奏装置（Ｐ）からダウンロードするか、あるいは、無線ＬＡＮを介して直接的にカラオケ演奏装置（Ｐ）からダウンロードするなどして、新規の当該情報をフラッシュメモリ（１０）に格納することで楽曲索引データベースが適時に更新される。このフラッシュメモリ（１０）には、利用可能なカラオケ楽曲についての曲名・アーティスト名・歌詞の歌い出し部分などの情報が、属性情報に関するクエリーとしてデータベースに蓄積され、利用者が所望するカラオケ楽曲の検索条件に応じた結果が表示される。
【００１９】
また、中央制御手段（８）は、電子目次本から最終的に利用者が選択した１つの演奏楽曲を提示した状態で、その楽曲を演奏予約する旨の入力があれば、該当の楽曲番号を含んだ予約楽曲コードを生成し確定して、そのコードをＬＥＤドライバ（図示省略）に転送する。そして、このＬＥＤドライバは、このコードの変調信号をＬＥＤ（４）に与えて、カラオケ演奏装置（Ｐ）に演奏予約のための赤外線信号（ｉｒ）を送信させ、カラオケ演奏装置（Ｐ）は、この楽曲予約データを受信すると、そのデータに含まれている楽曲番号を演奏予約の待ち行列として管理し、その待ち行列からピックアップした楽曲番号に対応する楽曲を順次演奏する。
【００２０】
さらにここで、図３に示す、アルコール濃度測定データの表示例説明図に基づき、本発明における測定データの表示方式について詳述する。
【００２１】
アルコール濃度の測定データの表示方法は、（ａ）に示すように、「アルコール濃度０．００ｍｇ／Ｌ」、「アルコール濃度０．０５ｍｇ／Ｌ」「アルコール濃度０．１０ｍｇ／Ｌ」などと、一般的な数値表記するのもよいが、本発明はこれに限らず、アルコール濃度の高低に対応して変化する、メッセージ表示、画像表示ないしアニメーション表示でも構わない。また、この方が、アルコール濃度の数値的表現よりもカラオケの雰囲気に合ったものにすることができ、また、利用者の注意を喚起することもできる。
【００２２】
例えば、（ｂ）に示すように、アルコール濃度の高低に対応してビールグラスの本数を増減させたり、（ｃ）に示すように、人物の顔色を変化（肌色→ピンク色→赤色など）させると共に人物の表情を変化させてもよい。また、この時、人物の表情をアニメーション表示させると効果的であり、利用者の注意を喚起できる。また、（ｄ）に示すように、棒状インジケータの色変わり部の伸縮度合いによってアルコール濃度の高低を表現してもよい。また、このインジケータには、「まだまだ」とか「ほろ酔い」とか「ちょっと飲み過ぎ」とか「飲み過ぎ」とかのメッセージ表記をその伸縮の割合に応じて付帯させる方が、利用者の飲酒の程度が分かり易くなり好ましい。
【００２３】
以上、詳述したように、本発明のカラオケリモコン装置によれば、アルコール濃度測定手段を付帯していると共に、その測定したアルコール濃度の測定データを付帯した表示手段に適宜なタイミングで表示させることにより、カラオケ利用者は携帯用アルコール濃度測定器をいつも携帯する必要なく、利用者はカラオケを楽しんでいる最中に、効率的に飲酒量（呼気中のアルコール濃度）を検知して測定できる。
【図面の簡単な説明】
【００２４】
【図１】本発明の一実施例におけるカラオケリモコン装置の概略的外観図。
【図２】本発明のカラオケリモコン装置の概略的ブロック構成図。
【図３】アルコール濃度測定データの表示例説明図。
【符号の説明】
【００２５】
１  カラオケリモコン装置
３  ＬＣＤ
４  ＬＥＤ
６  アルコール濃度測定手段
６ａ  半導体ガスセンサ
６ｂ  測定制御手段
７  測定データ表示制御手段
８  中央制御手段
９  通信制御手段
１０  フラッシュメモリ
１０ａ  測定データ記憶部
【図１】
2005242063.tif 000003
【図２】
2005242063.tif 000004
【図３】
2005242063.tif 000005